(57)【要約】      （修正有）【課題】特殊な周波数の音声を発生することで、使用者の気分を落ち着かせて睡眠の質を改善する、ソルフェジオ周波数により睡眠をサポートするマットレスを提供する。【解決手段】ソルフェジオ周波数により睡眠をサポートするマットレス１０であって、本体１１を含むマットレスと、一端が該マットレスに連結される連結ケーブル２０と、該連結ケーブルにおける、マットレスに連結する一端と対向する他端に連結されるコントローラ３０と、該コントローラ内に設置される周波モジュールと、該マットレス内またはコントローラ内に設置されると共に、該周波モジュールに電気接続されるスピーカと、を備える。【選択図】図１
0003223075.tif 000002
【実用新案登録請求の範囲】
【請求項１】
本体を含むマットレスと、
一端が該マットレスに連結される連結ケーブルと、
該連結ケーブルにおける、マットレスに連結する一端と対向する他端に連結されるコントローラと、
該コントローラ内に設置される周波モジュールと、
該マットレス内またはコントローラ内に設置されると共に、該周波モジュールに電気接続されるスピーカと、を備えることを特徴とする、ソルフェジオ周波数により睡眠をサポートするマットレス。
【請求項２】
前記スピーカが、前記マットレス内に設置され、
該マットレスが、連結器をさらに含み、該連結器は、前記本体の周縁に設置されると共に、該スピーカに着脱可能に電気接続されることを特徴とする請求項１に記載の、ソルフェジオ周波数により睡眠をサポートするマットレス。
【請求項３】
前記スピーカが、前記連結器内に設置されることを特徴とする請求項２に記載の、ソルフェジオ周波数により睡眠をサポートするマットレス。
【請求項４】
前記スピーカが、前記コントローラ内に設置され、該コントローラが、複数の放音孔を有することを特徴とする請求項１に記載の、ソルフェジオ周波数により睡眠をサポートするマットレス。
【請求項５】
前記マットレス上に少なくとも一本の折り線が形成され、該少なくとも一本の折り線が、前記本体の幅方向に沿っていることで、該マットレスの本体が該折り線に沿って折り畳めることを特徴とする請求項１から請求項４のいずれか１項に記載の、ソルフェジオ周波数により睡眠をサポートするマットレス。
【請求項６】
前記マットレスの本体は積層構造であり、その積層構造では、第１表層と、ナイロン層と、防ダニ抗菌層と、支持層と、不織布層と、第１発泡体層と、炭素繊維層と、第２発泡体層と、抗菌性綿層と、第２表層とが順に配列されることを特徴とする請求項１から請求項４のいずれか１項に記載の、ソルフェジオ周波数により睡眠をサポートするマットレス。
【請求項７】
前記第１表層及び第２表層の材料がポリエステル繊維であり、
該防ダニ抗菌層の材料がポリエステル綿であり、
該支持層の材料が発泡体であり、
該第１発泡体層の材料がポリエステル発泡体であることを特徴とする請求項６に記載の、ソルフェジオ周波数により睡眠をサポートするマットレス。
【請求項８】
前記周波モジュールが前記スピーカを駆動して、周波数の３９６ヘルツ（Ｈｚ）から５２８ヘルツ（Ｈｚ）までの間の音声を選択的に発生させることを特徴とする請求項１から請求項４のいずれか１項に記載の、ソルフェジオ周波数により睡眠をサポートするマットレス。
【請求項９】
前記周波モジュールが前記スピーカを駆動して、周波数の３９６ヘルツ（Ｈｚ）の音声及び風鈴の音を選択的に発生させることを特徴とする請求項８に記載の、ソルフェジオ周波数により睡眠をサポートするマットレス。
【請求項１０】
前記周波モジュールが前記スピーカを駆動して、周波数の４１７ヘルツ（Ｈｚ）の音声及び鳥の鳴き声を選択的に発生させることを特徴とする請求項８に記載の、ソルフェジオ周波数により睡眠をサポートするマットレス。
【請求項１１】
前記周波モジュールが前記スピーカを駆動して、周波数の５２８ヘルツ（Ｈｚ）の音声及び潮騒の音を選択的に発生させることを特徴とする請求項８に記載の、ソルフェジオ周波数により睡眠をサポートするマットレス。
【考案の詳細な説明】
【技術分野】
【０００１】
本考案は、マットレスであって、特に特殊な周波数の音声を発生し、所定の周波数の音声によって、使用者の入眠を促進し、且つ睡眠の質を高める、ソルフェジオ周波数により睡眠をサポートするマットレスに関するものである。
【背景技術】
【０００２】
現代の人々は、生活が忙しくて仕事のストレスが大きいことから、就寝前は依然として緊張した状態で、眠りにつくことが困難であるので、眠りについても浅い眠りで十分な休息効果が得られないことが多かった。
【０００３】
従来技術のマットレスは、ポケットコイル式などの構造的、あるいはラテックス材などの材料的な進化によって体圧分散効果を改善することで、使用者により快適な寝心地を提供するものであるが、上述した精神的な睡眠障害には効果的ではない。
【０００４】
よって、従来の睡眠補助ためのマットレスには、改善する必要があった。
【考案の概要】
【考案が解決しようとする課題】
【０００５】
上記の従来技術における欠点と欠陥に鑑み、本考案では、特殊な周波数の音声を発生することで、使用者の気分を落ち着かせて睡眠の質を改善する、ソルフェジオ周波数により睡眠をサポートするマットレスを提供することを目的としている。
【課題を解決するための手段】
【０００６】
本考案は、本体を含むマットレスと、一端が該マットレスに連結される連結ケーブルと、該連結ケーブルにおける、マットレスに連結する一端と対向する他端に連結されるコントローラと、該コントローラ内に設置される周波モジュールと、該マットレス内またはコントローラ内に設置されると共に、該周波モジュールに電気接続されるスピーカと、を備えることを特徴とする。
【０００７】
前記スピーカが、前記マットレス内に設置され、該マットレスが、連結器をさらに含み、該連結器は、前記本体の周縁に設置されると共に、該スピーカに電気接続されることを特徴とする。
【０００８】
前記スピーカが、前記連結器内に設置されることを特徴とする。
【０００９】
前記スピーカが、前記コントローラ内に設置され、該コントローラが、複数の放音孔を有することを特徴とする。
【００１０】
前記マットレス上に少なくとも一本の折り線が形成され、該少なくとも一本の折り線が、前記本体の幅方向に沿っていることで、該マットレスの本体が該折り線に沿って折り畳めることを特徴とする。
【００１１】
前記マットレスの本体は積層構造であり、その積層構造では、第１表層と、ナイロン層と、防ダニ抗菌層と、支持層と、不織布層と、第１発泡体層と、炭素繊維層と、第２発泡体層と、抗菌性綿層と、第２表層とが順に配列されることを特徴とする。
【００１２】
前記第１表層及び第２表層の材料がポリエステル繊維であり、該防ダニ抗菌層の材料がポリエステル綿であり、該支持層の材料が発泡体であり、該第１発泡体層の材料がポリエステル発泡体であることを特徴とする。
【００１３】
前記周波モジュールが前記スピーカを駆動して、周波数の３９６ヘルツ（Ｈｚ）から５２８ヘルツ（Ｈｚ）までの間の音声を選択的に発生させることを特徴とする。
【００１４】
前記周波モジュールが前記スピーカを駆動して、周波数の３９６ヘルツ（Ｈｚ）の音声及び風鈴の音を選択的に発生させることを特徴とする。
【００１５】
前記周波モジュールが前記スピーカを駆動して、周波数の４１７ヘルツ（Ｈｚ）の音声及び鳥の鳴き声を選択的に発生させることを特徴とする。
【００１６】
前記周波モジュールが前記スピーカを駆動して、周波数の５２８ヘルツ（Ｈｚ）の音声及び潮騒の音を選択的に発生させることを特徴とする。
【考案の効果】
【００１７】
本考案によれば、マットレスに周波モジュールとスピーカをさらに設置することで、該周波モジュールによって制御されるスピーカが、快眠効果を持つ様々な周波数の音声を発生することにより、使用者がリラックスして素早く眠りにつくのを助け、同時に睡眠の質を改善し、精神的ストレスによって引き起こされる睡眠障害を改善させることができる。
【図面の簡単な説明】
【００１８】
【図１】本考案の全体的な構成を示す図である。
【図２】本考案の第１実施例における一部の構成を示す正面図である。
【図３】本考案の第２実施例における一部の構成を示す正面図である。
【図４】本考案に係るマットレスの断面図である。
【図５】本考案に係るマットレスを折り畳んだ状態を示す図である。
【考案を実施するための形態】
【００１９】
以下、図面及び本考案の好ましい実施形態において、本考案の目的を達成する技術手段をさらに説明する。
【００２０】
図１及び図２に示すように、本考案に係る、ソルフェジオ周波数により睡眠をサポートするマットレスは、マットレス１０と、連結ケーブル２０と、コントローラ３０と、周波モジュール４０と、スピーカ５０とを含む。
【００２１】
図１及び図４に示すように、前記マットレス１０は、本体１１を含む。本実施例においては、連結器１２をさらに含み、該連結器１２は、快適性への悪影響を避けるために、該本体１１の周縁に設置される。該本体１１は積層構造である。その積層構造は、第１表層１１１と、ナイロン層１１２と、防ダニ抗菌層１１３と、支持層１１４と、不織布層１１５と、第１発泡体層１１６と、炭素繊維層１１７と、第２発泡体層１１８と、抗菌性綿層１１９と、第２表層１２０とが順に配列され、そのうち、第１表層１１１及び第２表層１２０の材料は、ポリエステル繊維であり、該防ダニ抗菌層１１３の材料は、防ダニ、抗菌、消臭効果を持つポリエステル綿であり、該支持層１１４は、波線状の発泡体からなるクッション材であり、該第１発泡体層１１６は、厚さ１０mmのポリエステル発泡体であり、該炭素繊維層１１７の材料は、抗菌、消臭効果を持つ炭素繊維であり、該第２発泡体層１１８は、厚さ２０mmの平坦状の発泡体であり、該抗菌性綿層１１９は、厚さ１０mmの抗菌効果を持つ綿であり、また、該支持層１１４と第１発泡体層１１６と第２発泡体層１１８は、該本体１１を使用者の体型に合わせて変形させることで快適性を向上させるが、該本体１１の積層構造における各層の材料および積層構造の構成は、これらに限定されるものではない。
【００２２】
本実施例において、該マットレス１０の本体１１は、屈曲自在の可撓性材料で作られてもよく、あるいは該本体１１上に、少なくとも一本の、比較的厚みの薄い、溝のような折り線が形成されてもよい。これにより、（図５を参照）該本体１１を折り畳んで、全長を短縮できるので、容易に収納することが可能となるが、これに限定されるものではない。
【００２３】
前述したように、前記連結ケーブル２０の一端は、前記マットレス１０に連結され、本実施例においては、該連結ケーブル２０が、該マットレス１０の連結器１２に着脱可能に連結されるので、分離収納可能であるが、これに限定されるものではない。他の好ましい実施形態においては、該マットレス１０が該連結器１２を有さず、該連結ケーブル２０が着脱不能に連結されるので、生産コストを低減できる。
【００２４】
前述したように、前記コントローラ３０が、前記連結ケーブル２０における、マットレス１０に連結する一端と対向する他端に連結され、つまり該コントローラ３０とマットレス１０はそれぞれ、該連結ケーブル２０の対向する両端に接続される。尚、本実施例においては、該コントローラ３０が、ケースと、該ケース上に設置される複数のボタン及び表示モニタとを含む。使用者は、該コントローラ３０のボタンを介して本考案を制御し、また該表示モニタにより現在の作業状態を把握することができる。
【００２５】
前記周波モジュール４０は、前記コントローラ３０内に設置され、また該周波モジュール４０に電気連結される前記スピーカ５０は、前記マットレス１０内に設置される。詳しく述べると、該周波モジュール４０は、電子装置であり、該スピーカ５０は、マグネットと音声コイルと振動板から構成されるパッシブスピーカであり、該周波モジュール４０から流れる電流で駆動されて、快眠効果を持つ様々な周波数の音声を発生できるが、これらに限定されるものではなく、該周波モジュール４０が該スピーカ５０を駆動して特定の周波数の音声を発生できれば、如何なるものでもよい。尚、本実施例においては、該スピーカ５０が該マットレス１０の連結器１２内に設置されるので、使用者の近辺により近づくことで、より効果的な快眠効果を提供できるが、これに限定されるものではなく、つまり、該スピーカ５０は、該マットレス１０の他の箇所に設置してもよい。
【００２６】
本考案を使用する時は、まず使用者が前記マットレス１０の上に横たわり、前記コントローラ３０上のボタンを操作して、前記周波モジュール４０で前記スピーカ５０を駆動させて、以下に挙げる、気分を落ち着かせて睡眠の質を改善できる、様々な周波数の音声を発生させる。
【００２７】
周波数の３９６ヘルツ（Ｈｚ）の音声及び風鈴の音。
【００２８】
周波数の４１７ヘルツ（Ｈｚ）の音声及び鳥の鳴き声。
【００２９】
周波数の５２８ヘルツ（Ｈｚ）の音声及び潮騒の音。
【００３０】
周波数の５２８ヘルツ（Ｈｚ）の音波。
【００３１】
前記コントローラ３０は、上述した音声の音量及び再生時間を設定することができる。尚、本実施例においては、該コントローラ３０が、メモリモジュールをさらに含み、これにより、工場出荷時の複数のプリセットデータと使用者の好みの設定値を記憶することができる。具体的には、工場出荷時に、複数の、特定の周波数の音声データや音量及び再生時間のモードを予め書き込んだり、又は、使用者自分の好みの周波数の音声や音量及び再生時間など様々な異なる設定パラメータを該メモリモジュール内に記憶したりしておくことができることから、次回使用する時に、該メモリモジュールにおける設定パラメータを一括ロードすることができるので、一つ一つ再設定する必要はない。
【００３２】
本考案を長期間使用しない場合には、前記マットレス１０の本体１１を折り畳んで収納することができる一方、前記コントローラ３０を、該マットレス１０から取り外して、乾燥収納庫に収納することもできる。
【００３３】
図３に示すように、本考案の第２実施形態は、第１実施形態とほぼ同じである。相違点は、前記スピーカ５０が前記コントローラ３０のケース内に設置されることである。この構成では、前記コントローラ３０のケース上に、該ケースを貫通する複数の放音孔３１が設けられることから、該スピーカ５０が発生する様々な周波数の音声が、該コントローラ３０から流れ、また該コントローラ３０が、該連結ケーブル２０によって前記マットレス１０に連結されているため、該コントローラ３０の紛失を防止できる。
【００３４】
上述した技術特徴においては、、マットレスに周波モジュールとスピーカをさらに設置することで、該周波モジュールによって制御されるスピーカが、快眠効果を持つ様々な周波数の音声を発生することにより、使用者がリラックスして素早く眠りにつくのを助け、同時に睡眠の質を改善し、精神的ストレスによって引き起こされる睡眠障害を改善させることができる。
【００３５】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００３６】
１０  マットレス
１１  本体
１１１ 第１表層
１１２ ナイロン層
１１３ 防ダニ抗菌層
１１４ 支持層
１１５ 不織布層
１１６ 第１発泡体層
１１７ 炭素繊維層
１１８ 第２発泡体層
１１９ 抗菌性綿層
１２０ 第２表層
１２  連結器
２０  連結ケーブル
３０  コントローラ
３１  放音孔
４０  周波モジュール
５０  スピーカ
【図１】
0003223075.tif 000003
【図２】
0003223075.tif 000004
【図３】
0003223075.tif 000005
【図４】
0003223075.tif 000006
【図５】
0003223075.tif 000007